(57)【要約】  本開示は、クランプが一体化されたハンドル部を有するワークライトを提供し、その結果、ワークライトはハンズフリーモードのために物体に取り付けられることが可能であり、又は可搬式に使用され得る。ワークライトは、ハンドル部に対して枢動し、回転するヘッド部を有し、その結果、ヘッド部は様々なポジションに置かれることが可能である。ワークライトは、電池式とされ得るか、又は外部電源により電力を供給されることが可能である。
2015534255.tif 000002
【特許請求の範囲】
【請求項１】
ケーシング及び前記ケーシングの中の光源を備えるヘッド部と、
前記ヘッド部がマウント部に回転可能に連結される支持部材と、
前記マウント部に回転可能に連結されている一方の端部及び握持部を有する反対側端部を有するクランプと
を備える、ワークライト。
【請求項２】
前記ヘッド部は概ね矩形の形状を有する、請求項１に記載のワークライト。
【請求項３】
前記ヘッド部は平坦なパネルをその中にさらに備え、前記平坦なパネルは少なくとも１つの平面を有し、前記光源は前記パネルの前記表面上にある、請求項１に記載のワークライト。
【請求項４】
前記クランプは、第１のアームと、前記第１のアームに枢動可能に連結されている第２のアームとを有し、前記第１のアームと前記第２のアームの少なくとも一方が前記マウント部に連結されている、請求項１に記載のワークライト。
【請求項５】
前記第１のアームと前記第２のアームは、前記クランプが閉位置の方へ傾くように互いに付勢取付けされている、請求項４に記載のワークライト。
【請求項６】
前記第１のアームと前記第２のアームとはばねで共に付勢されている、請求項５に記載のワークライト。
【請求項７】
前記第１のクランプアーム、前記第２のクランプアーム、前記マウント部、及び前記ヘッド部の少なくとも１つに、蓄電池室をさらに備える、請求項１に記載のワークライト。
【請求項８】
前記ケーシングは少なくとも部分的に透明であり、その結果、前記光源はそれを通して光を伝播し得る、請求項１に記載のワークライト。
【請求項９】
前記ケーシングは、前記マウント部と同一平面になるように前記ヘッド部に連結されている、請求項１に記載のワークライト。
【請求項１０】
前記光源は複数の電球である、請求項１に記載のワークライト。
【請求項１１】
前記第１のアームと前記第２のアームの少なくとも一方がラッチを有し、前記ラッチは、前記クランプが開位置にあるように前記マウント部に連結する、請求項４に記載のワークライト。
【請求項１２】
外部電源から電力を受け入れる電気ポートをさらに備える、請求項１に記載のワークライト。
【請求項１３】
前記ワークライトは、長手方向軸と、前記長手方向軸に対して垂直な第２の軸とを有し、前記ヘッド部は前記長手方向軸を中心に回転し、前記マウント部は前記第２の軸を中心に回転する、請求項１に記載のワークライト。
【発明の詳細な説明】
【技術分野】
【０００１】
本開示は、一体化されたクランプを有するハンドル部と、様々なポジションに置かれ得るヘッド部とを有するワークライトに関する。
【背景技術】
【０００２】
懐中電灯及びワークライトのユーザの間には、何らかの「ハンズフリー」能力及び取付け選択肢における融通性を有することにかなりのニーズがある。多くの現在入手可能なワークライトは、ライトをフック又はポールに吊り下げる簡単なフック又は他の装置を有する。これは、ライトが限られた数の表面からしか吊り下げることができず、ライトの自由自在な配置を可能にしないという点において、非常に制限的である。さらに、現在入手可能なワークライトの発光体部分は通常、定位置に固定されているので、ライトが向く方向を調節する能力がない。
【０００３】
したがって、様々な表面に取り付けることによりユーザのハンズフリー操作を実現することができると同時に、可搬能力をもたらすワークライトが求められている。
【発明の概要】
【０００４】
一実施形態では、本開示は、ケーシング及びケーシングの中の光源を備えるヘッド部と、ヘッド部がマウント部に回転可能に連結される支持部材と、マウント部に回転可能に連結されている一方の端部及び握持部を有する反対側端部を有するクランプとを備えるワークライトを提供する。
【図面の簡単な説明】
【０００５】
【図１】本開示のワークライトの第１の実施形態の斜視図。
【図２】物体に取り付けられている図１のワークライトの図。
【図３】物体に取り付けられている図１のワークライトの第２の図。
【図４】図１のワークライトの側面斜視図。
【図５】図１のワークライトの第２の側面斜視図。
【図６】本開示のワークライトの第２の実施形態のクローズアップ図。
【図７】本開示のワークライトの第３の実施形態の斜視図。
【図８】物体に取り付けられている図７のワークライトの図。
【図９】図７のワークライトの第２の斜視図。
【図１０】図７のワークライトのクローズアップ斜視図。
【発明を実施するための形態】
【０００６】
図１を参照すると、本開示のワークライト１０が示されている。ワークライト１０はヘッド部２０とハンドル部７０とを有する。ハンドル部７０は第１のアーム７２と第２のアーム７４とをさらに備え、それらは閉位置（図示せず）に付勢されるように互いに取り付けられている。第１のアーム７２と第２のアーム７４とは、第１のアーム７２の端部及び第２のアーム７４の端部により画定されているクランプ７６が開くように、ユーザにより共に握持され、掴まれることが可能であり、図２に示されている通り固定された物体に取り付けられることが可能である。クランプ７６がその閉位置にありかつ物体又は取付け面に取り付けられていない場合、第１のアーム７２及び第２のアーム７４は、ユーザにより容易にかつ楽に保持されることが可能であり、ワークライト１０を可搬性にする。以下により詳細に論じられている通り、ヘッド部２０はハンドル部７０に対して枢動し、回転することができる。
【０００７】
本開示は、このように、ワークライトを物体に連結することによりユーザがハンズフリー動作で使用することができるワークライト１０を提供する。また、ワークライト１０は、（ヘッド部２０を動かすことにより）様々な異なる角度及びポジションで空間を照明するように操作され得る。これは、通常は固定されたポジションにありかつそれらが取り付くことができる表面のタイプが限定されている先行技術のワークライトとの著しい相違である。ワークライト１０は、テーブル又は他の平面の縁部、ポール、配管、木の枝、衣料品、又はバックパック等の多数の種々の取付け面を活用することができる。
【０００８】
また、ワークライト１０は、以下により詳細に論じられている通り、スポットビーム又は焦点ビームとは対照的に、ワークライトが広い光の帯をもたらすという点で、多くの懐中電灯とは異なる。ワークライト１０のヘッド部２０を様々な角度に位置決めすることができることは非常に有利であり、ヘッド部２０が多量の光を供給する状況では特にそうである。ヘッド部２０のスリムな外形及びいくつかの軸を中心とする可動性は、他のワークライトでは達成不可能な、狭い空間内にそれが配置されることを可能にする。この機能性を有していても、ワークライト１０は、ユーザにとって依然として可搬である。第１のアーム７２と第２のアーム７４とは、人間工学的設計としてのかつユーザによる快適な握持のための丸い縁部を有するハンドル部７０の本体を形成し得る。別の実施形態では、クランプ７６が閉位置にある場合にハンドル部７０が実質的に円筒形の設計を有し得るように、第１のアーム７２と第２のアーム７４の一方又は両方が半円形であり得る。
【０００９】
ワークライト１０を説明し易くするために、用語「前部」、「後部」、「上部」、及び「底部」は、ワークライト１０が直立している状態で、かつ第１のアーム７２が第２のアーム７４の前にある状態で、図１に示されている描写を基準とする。これらの方向用語はワークライト１０を説明するためにのみ用いられており、以下に論じられている特徴の解釈を限定するものではない。
【００１０】
前に論じられた通り、第１のアーム７２と第２のアーム７４とは閉位置へと付勢される。ばね、アクチュエータ、又は他の装置（図示せず）が第１のアーム７２と第２のアーム７４との間に配置され、第１のアーム７２と第２のアーム７４との間に張力を発生させ、付勢を生じさせることができる。第１のアーム７２、第２のアーム７４、及びばね装置は、第１のアーム７２、第２のアーム７４、ばね装置、及びばね装置を安定させるために使用され得るスペーサ又はカバーの対応する穴部を通って移動する枢動ピン７５を用いて互いに連結され得る。第１のアーム７２と第２のアーム７４の少なくとも一方が、握持し易くするために、その表面上に複数のテクスチャ加工された又は畝のある外側被覆（図示せず）を有し得る。
【００１１】
一実施形態では、ばね装置は捻じりばねである。しかし、本開示は、引張ばね、引っ張りコイルばね、圧縮ばね、一体型プラスチックばね、線ばね若しくはコイルばね、又は板ばねなどの、第１のアーム７２と第２のアーム７４との間に張力を発生させ得る任意の装置を企図している。これらの装置は、第２のアーム７４の回転軸の周囲に又は別の場所に配置され得る。
【００１２】
ヘッド部２０はケーシング２２を有する。図示の実施形態では、ケーシング２２は透明であるが、本開示は、着色ケーシング又は艶消しケーシングも同様に企図している。ケーシング２２は光源２６を取り囲み、保護している。図示の実施形態では、光源２６は複数の発光ダイオード（ＬＥＤ）である。本開示は、他のタイプの電球が使用され得ること、又は光源２６において単一の光源が複数の電球に取って代わることができるであろうことを企図している。
【００１３】
このように、電池又は別の電源が光源２６と電気連通して配置されている場合、光は、電球２６から、ケーシング２２を通って外へ、ワークライト１０の主長手方向軸に対して横方向に伝播される。図示の実施形態では、ケーシング２２は、ケーシングとマウント部とが互いに同一平面にあるように、マウント部３０の形状に合致する湾曲した前部を有する。本開示は、弓形、楕円形、放物線状、四角形、又は矩形などの、ケーシング２２の他の形状を企図している。図示の実施形態では、電球２６が取り付けられているパネル２８は平坦又は平面（ｐｌａｎａｒ  ｏｒ  ｆｌａｔ  ｓｕｒｆａｃｅ）である。ヘッド部２０の後面（図示せず）が平らであってもよいか又は湾曲していてもよい。
【００１４】
他の実施形態では、パネル２８は、多面（ｍｕｌｔｉ−ｆａｃｅｔｅｄ  ｏｒ  −ｓｉｄｅｄ）であり得るか、又はケーシング２２に関して前段で論じられた他の形状のいずれかであり得る。光源２６のＬＥＤは、パネル２８の平面上に、又はパネル２８が多面である場合は複数の面上に、配列されることが可能である。前段で論じられた通り、ケーシング２２は、光が複数の方向に、例えばパネル２８の表面に対して垂直に、分散することを可能にするように成形され得る。
【００１５】
図示の実施形態では、マウント部３０及びヘッド部２０が、ハンドル部７０の最上部を通過する水平軸を中心に回転することができるように、ヘッド部２０はマウント部３０に連結されており、マウント部３０はハンドル部７０に連結されている。第１のアーム７２と第２のアーム７４の少なくとも一方が、マウント部３０に直接取り付けられている。このことは、図２及び図３に示されている通りクランプ７６が物体に取り付けられている場合、ワークライト１０のユーザがヘッド部２０を適切なポジションに動かすことを可能にする。
【００１６】
さらに、やはり図３に示されている通り、ヘッド部２０がワークライト１０の垂直軸を中心に回転することができるように、ヘッド部２０はマウント部３０に連結されている。一実施形態では、ヘッド部２０は、マウント部３０に対していずれかの方向に最大９０度まで、又はそれらの間の任意の部分的範囲で、回転することができる。前に論じられた通り、これは、先行技術では認められない、ワークライト１０の別の非常に有利な特徴である。ワークライト１０が物体に取り付けられ得るばかりでなく、ユーザは、ヘッド部２０の角度を調節して、最大かつ最適な照明を実現する融通性を有する。他のワークライトは、ワークライト本体に対するヘッド部又は光の角度を調節する選択肢を持たない。
【００１７】
回転弧に沿って、マウント部３０（及びしたがってヘッド部２０）のための個々の止め具が存在し得るか、又はマウント部３０が弧に沿って任意の角度で配置されるように構成されることが可能である。マウント部３０とハンドル部７０との間に適切な摩擦量が存在し、ユーザにより調節された場合にマウント部３０が定位置に留まることを確実にすることができる。マウント部３０とハンドル部７０とは、ボタン解放器（button release）を有する枢動ロッド（図示せず）を用いて互いに連結されることが可能である。マウント部３０は、ユーザがボタン解放器を押し下げるまで、実質的に固定されたポジションに留まるであろう。ユーザは、次いで、ヘッド部２０を所望の位置へ動かすことができる。
【００１８】
光源２６は、１つの発光体、又はワークライト１０に電力を供給している電池と連通している同一回路上で動作する複数の発光体であり得る。あるいは、光源２６は、少なくとも２つの別個の回路上で動作する複数の発光体であり得る。後者の実施形態では、１つの回路が光源２６内の電球の部分に係合することができ、別の回路が光源２６内の電球の第２の部分に係合することができる。
【００１９】
スイッチ７９（例えば、トグルスイッチ、ボタン膜、図示せず）が、第１のアーム７２、第２のアーム７４、マウント部３０、又はヘッド部２０に接続されているか又はそこにあることが可能である。図示の実施形態（図５）では、スイッチ７９がヘッド部２０の後面上にある。スイッチ７９により、ユーザは、蓄電池室（図示せず）内の電池と電気連通して配置されている光源２６を選択的に配置することができる。蓄電池室は、第１のアーム７２、第２のアーム７４、マウント部３０、もしくはヘッド部２０、又はそれらの組合せのいずれかの内部にあり得る。スイッチ７９により、ユーザは、全ての発光体がオフである状態と、全ての発光体がオンである状態と、又は選択された発光体がオンであると同時に他がオフのままである場合との間で、選択することができる。
【００２０】
第１のアーム７２と第２のアーム７４の少なくとも一方が、その上端部にラッチ７８を有し得る。ラッチは、ユーザにより前方向に押された場合、第１のアーム７２もしくは第２のアーム７４の他方の空胴部、又はマウント部３０に係合する前端部を有し得る。ラッチがこのようにして空胴部に係合した場合、クランプ７６は開位置に留まっており、図１に示されている通りワークライト１０は表面上に配置され得る。これは、前述されているものに加えて、ワークライト１０のさらに別の動作モードを実現し得る。また、本開示は、クランプ７６を開位置に保つ他の方法を企図している。クランプ７６は、その底部に脚部７７を有することができ、図示の通り端部上に立っている状態にあるワークライト１０を補助する。
【００２１】
図６を参照すると、本開示のワークライトの第２の実施形態が示されており、番号１１０と呼称されている。ワークライト１１０は、ワークライト１１０が電源コードを受け入れる差込み口１７１を有することを除いて、ワークライト１０と類似した方法で機能する。この電源コードは、ワークライト１１０の内部に配置されている充電池（図示せず）を充電することができる。充電池は、ワークライト１１０のクランプアーム、ヘッド部、又はマウント部のいずれかの内部にあり得る。電源スイッチ１７９が、ワークライト１１０の光源（図示せず）をオン又はオフにすることができる。
【００２２】
図７及び図８を参照すると、本開示のワークライトの第３の実施形態が示されており、数字２１０と呼称されている。ワークライト２１０は、ワークライト２１０が電気コードなどを用いて外部電源から供給される電力で動作することを除いて、ワークライト１０及び１１０と非常に類似した方法で機能する。したがって、ハンドル部２７０が、第１のアーム２７２と第２のアーム２７４の少なくとも一方に、（図８により明確に示されている）電源コードを受け入れるために、少なくとも１つのポート２７１を有する。ポート２７１に電力を供給する電源コードは、永久に又は取外し可能にのいずれかでハンドル部２７０に接続されている。図７に示されている実施形態では、又はンドル部２７０上に差込み口２７９がある。図９及び図１０に示されている通り、ワークライト２１０は、付加的電源コードが差込み口２７９内に押し込まれた場合、外部電源に電力を供給することができる。
【００２３】
前述の構成要素のいずれかが、アクリロニトリル・ブタジエン・スチレン（ＡＢＳ）、ナイロン、もしくは他のプラスチックなどの材料で作製され得るか、又は鋳造金属もしくは型打した金属で作製され得る。
【００２４】
したがって、ワークライト１０、１１０及び２１０は、現在入手可能なワークライトがもたらし得ない、種々の用途におけるかなりの利点をもたらす。例えば、ヘッド部２０が各方向に９０度まで折れ曲がることは、それが車両のエンジンルーム内の狭い空間内に適合することを可能にし、それが必要とされる所で点灯する。クランプ締めするための様々な表面を有する、車のボンネット及び車台の周囲でのワークライト１０の使用では、クランプ機能が最良の解決策になる。ワークライトを吊り下げるフック、磁石、又はプラスチック構成要素は遥かに機能的でない。ワークライトは長時間使用されるので、ワークライト１０を表面に取り付けるか、又はそれを自立させてそのままにできることは理想的である。懐中電灯は、通常、ずっと短時間の差し迫った必要のために使用され、そこでそれらを短時間の間保持することは問題ではない。ワークライト１０の別の利点が、汚れた手の場合に示される。ワークライトのユーザは、油、油脂、ペンキ、接着剤をその手に有している可能性があり、ライトを保持し続けること又はそれらをその口の中に入れ続けることはできない。ライトが点けられると、ユーザが必要な所で点灯していること、懐中電灯に比べて再度触れる必要がないことを、ユーザは必要とする。ワークライト１０は、これらの使用の全て及びそれ以上に利点をもたらす。
【００２５】
本開示が１つ又は複数の例示的実施形態を参照して記載されたが、当業者には種々の変形が施されてもよく、本開示の範囲を逸脱することなく、均等物がその要素として代替されてもよいことを理解されたい。さらに、多数の変更形態が作製されて、本開示の範囲を逸脱することなく、特定の状況又は材料を本開示の教示に適合させてもよい。したがって、本開示は、本開示を実施するために企図されている最良の形態として開示されている特定の実施形態（単数又は複数）に限定されないこと、しかし本開示は特許請求の範囲の範囲内に入る全ての実施形態を含むこと、が意図されている。
【図１】
2015534255.tif 000003
【図２】
2015534255.tif 000004
【図３】
2015534255.tif 000005
【図４】
2015534255.tif 000006
【図５】
2015534255.tif 000007
【図６】
2015534255.tif 000008
【図７】
2015534255.tif 000009
【図８】
2015534255.tif 000010
【図９】
2015534255.tif 000011
【図１０】
2015534255.tif 000012
【国際調査報告】
2015534255.tif 000013